(57)【特許請求の範囲】
【請求項１】
共同玄関に指紋照合端末器を設け、この指紋照合端末器から入力された指紋データを、予め居住者の指紋データを登録した指紋データ蓄積手段を備えた指紋照合コントローラで照合して、認証を行った後、共同玄関の電気錠を解錠させる指紋照合連動マンションＨＡシステムであって、
上記指紋データ蓄積手段には、予め居住者の指紋データを、居住階に対応してグループ区分して登録しており、
上記指紋照合端末器には、上記居住階をグループ区分として指定して指紋データを読み取らせる構成にしており、この指紋照合端末器で上記グループ区分が指定され、指紋データが読み取られたときには、
上記指紋照合コントローラは、指定されたグループ区分に対応する居住者の指紋データを判別し、判別したグループ区分の指紋データの中から、上記指紋照合端末器で読み取られた指紋データを照合する構成とした指紋照合連動マンションＨＡシステム。
【請求項２】
請求項１において、
上記指紋照合端末器は、少なくとも、指を押し当てる指紋読取部と、居住者の居住階に応じたグループ区分を指定するグループ区分指定操作部とを備えた構成にしている指紋照合連動マンションＨＡシステム。
【請求項３】
請求項１または２において、
上記指紋照合端末器は、住戸呼出操作部、住戸指定操作部、呼出した住戸端末機との間で通話を行うためのマイク、スピーカなどのインターホン通話手段を更に備えた構成にしている指紋照合連動マンションＨＡシステム。
【請求項４】
請求項３において、
上記グループ区分指定操作部は、上記住戸呼出操作部によって兼用する構成にしている指紋照合連動マンションＨＡシステム。
【請求項５】
請求項１〜４のいずれかにおいて、
上記指紋照合コントローラの指紋データ蓄積手段は、車椅子の居住者の指紋データを、予めグループ区分して登録する構成として、
上記指紋照合コントローラは、上記指紋照合端末器から入力された指紋データを、上記指紋データ蓄積手段に登録された車椅子の居住者の指紋データと照合して認証したときには、上記共同玄関の電気錠を解錠する構成とした指紋照合連動マンションＨＡシステム。
【請求項６】
請求項１〜４のいずれかにおいて、
車椅子の居住者専用の指紋照合端末器を更に設けており、
上記指紋照合コントローラの指紋データ蓄積手段は、車椅子の居住者の指紋データを、予めグループ区分して登録する構成として、
上記指紋照合コントローラは、上記車椅子の居住者専用の指紋照合端末器から指紋データが入力されたときには、上記指紋データ蓄積手段に登録されている車椅子の居住者の指紋データに基づいて入力された指紋データを認証し、認証したときには、上記共同玄関の電気錠を解錠する構成とした指紋照合連動マンションＨＡシステム。
【請求項７】
請求項６において、
上記車椅子の居住者専用の指紋照合端末器は、通常の指紋照合端末器よりも低い位置に設けられている指紋照合連動マンションＨＡシステム。
【発明の詳細な説明】
【０００１】
【発明の属する技術分野】
本発明は、指紋照合端末器から入力された指紋データを、予めマンション居住者の指紋データを登録した指紋照合コントローラで照合して認証したときに、共同玄関の電気錠を解錠するようにした指紋照合制御システムの改良に関する。
【０００２】
【従来の技術】
近時、マンションなどにおいて、指紋照合端末器で居住者の指紋データを読み取らせて共同玄関の電気錠を解錠する指紋照合制御システムが開発されており、このようなものでは、居住者が万一、鍵を紛失したり、暗証コードを他人に覚えられても、セキュリティーが確保されるため防犯対策上極めて望ましい。
【０００３】
しかしながら、マンションの規模が大きい場合には、登録している指紋データが多く、そのため認証に時間を要し、居住者に不快感を与えている。
【０００４】
【発明が解決しようとする課題】
本発明は、このような事情に鑑みてなされたもので、マンションの居住者の指紋データを予めグループ区分し、指紋データを読み取らせる時に、そのグループを指定させることによって、指紋データの認証を迅速に行って、居住者に不快感をなくすようにした指紋照合連動マンションＨＡシステムを提供することを目的としている。
【０００５】
【課題を解決するための手段】
上記目的を達成するために提案される本発明は、以下のような構成としている。すなわち、請求項１に記載の指紋照合連動マンションＨＡシステムでは、共同玄関に指紋照合端末器を設け、この指紋照合端末器から入力された指紋データを、予め居住者の指紋データを登録した指紋データ蓄積手段を備えた指紋照合コントローラで照合して、認証を行った後、共同玄関の電気錠を解錠させる指紋照合連動マンションＨＡシステムであって、指紋データ蓄積手段には、予め居住者の指紋データを、居住階に対応してグループ区分して登録しており、指紋照合端末器には、居住階をグループ区分として指定して指紋データを読み取らせる構成にしており、この指紋照合端末器で上記グループ区分が指定され、指紋データが読み取られたときには、指紋照合コントローラは、指定されたグループ区分に対応する居住者の指紋データを判別し、判別したグループ区分の指紋データの中から、上記指紋照合端末器で読み取られた指紋データを照合する構成としている。
ここに、居住者の居住階に応じたグループ区分とは、例えば、１階、２階、・・・といった階名のほか、各階を更にグループＡ、グループＢなどに細分化するものであってもよい。
【０００６】
また、請求項２に記載の指紋照合連動マンションＨＡシステムでは、指紋照合端末器は、少なくとも、指を押し当てる指紋読取部と、居住者の居住階に応じたグループ区分を指定するグループ区分指定操作部とを備えた構成にしている。
また、請求項３に記載の指紋照合連動マンションＨＡシステムでは、指紋照合端末器は、住戸呼出操作部、住戸指定操作部、呼出した住戸端末機との間で通話を行うためのマイク、スピーカなどのインターホン通話手段を更に備えた構成にしている。
【０００７】
更に、請求項４に記載の指紋照合連動マンションＨＡシステムでは、グループ区分指定操作部は、上記住戸呼出操作部によって兼用する構成にしている。
請求項３、４では、指紋照合端末器の機能に、更にマンションの住戸を呼出して、通話を行うインターホン機能を組み込んだものを想定しており、このような実施例としては、既存のロビーインターホンに、指紋照合端末器を組み込むなどして容易に構成される。また、マイク、スピーカなどの通話手段としては、ハンズフリー通話が出来るものでもよい。
【０００８】
請求項５に記載の指紋照合連動マンションＨＡシステムでは、指紋照合コントローラの指紋データ蓄積手段は、車椅子の居住者の指紋データを、予めグループ区分して登録する構成として、指紋照合コントローラは、指紋照合端末器から入力された指紋データを、指紋データ蓄積手段に登録された車椅子の居住者の指紋データと照合して認証したときには、共同玄関の電気錠を解錠する構成にしている。
【０００９】
請求項６に記載の指紋照合連動マンションＨＡシステムでは、車椅子の居住者専用の指紋照合端末器を更に設けており、指紋照合コントローラの指紋データ蓄積手段は、車椅子の居住者の指紋データを、予めグループ区分して登録する構成として、指紋照合コントローラは、車椅子の居住者専用の指紋照合端末器から指紋データが入力されたときには、指紋データ蓄積手段に登録されている車椅子の居住者の指紋データに基づいて入力された指紋データを認証し、認証したときには、上記共同玄関の電気錠を解錠する構成としている。
【００１０】
請求項７に記載の指紋照合連動マンションＨＡシステムでは、車椅子の居住者専用の指紋照合端末器は、通常の指紋照合端末器よりも低い位置に設けられている。ここに、通常の指紋照合端末器とは、請求項１〜請求項５に記載の指紋照合端末器を含む、車椅子の居住者の専用ではない指紋照合端末器のことである。
【００１１】
【発明の実施の形態】
以下に、本発明の実施の形態について、図面とともに説明する。
図１は本発明の最も基本的な指紋照合連動マンションＨＡシステムの構成の一例を示すブロック図である。
このシステムは、指紋照合端末器Ａ、指紋照合コントローラＢ、指紋データ登録装置３、電気錠制御装置（図３に６で示す）を組み合わせて構成されている。
【００１２】
ここに、指紋照合端末器Ａは、居住者の居住階に応じて区分されたグループ区分を指定するためのグループ区分指定操作部１０と、ＬＥＤや液晶画面などで構成される表示部１１と、居住者の指先を押し当てて指紋データを読み取るための指紋データ読取部１２と、指紋データ読取部１２で読取走査した指紋データを指紋照合コントローラＢに送出するとともに、指紋照合コントローラＢから必要な信号を受けるためのインターフェイス部１３とを備える。グループ区分指定操作部１０は、マンション階を選択する釦スイッチ、テンキーなどの他、グループを特定できるものであればなんでもよい。
【００１３】
また、指紋照合コントローラＢは、予めマンションの居住者の指紋データを登録した指紋データ蓄積部２０と、指紋照合端末器Ａから入力された指紋データと、指紋データ蓄積部２０に登録された指紋データとを照合するための指紋データ照合部２１とを備えており、指紋データ蓄積部２０には、指紋データ登録装置３によって、居住者の指紋データを居住階に応じたグループに区分して登録出来るようになっている。
【００１４】
ここに、居住階に応じたグループ区分としては、居住者の居住階を１階、２階、３階・・・のように区分してもよく、また、同一階が多い場合には、１階、２階、３階を更にＡ、Ｂ、Ｃなどのグループに細分してもよい。
図１に示す指紋照合端末器Ａは、共同玄関のエントランスなどに単独で設置されて、インターホンシステムを構成するロビーインターホンなどのような呼出通話端末器とは別体として構成されるが、後述するように、呼出通話端末器に一体的に組み込んでもよい。また、指紋照合コントローラＢも同様に呼出通話端末器や、警報監視盤などに一体的に組み込んでもよい。
【００１５】
図２はインターホンシステムに組み込んで、本発明の指紋照合連動マンションＨＡシステムを構成しだ場合のシステム構成図を示している。
このシステムでは、指紋照合端末器Ａ（Ｉ）は、図１に示した基本構成に加えて、呼出した居住者の住戸端末機５との間で通話を行うためのマイクＭ、スピーカＳＰを有したインターホン呼出通話部１４、呼出釦１５を備え、インターホン呼出通話部１４は、通話線Ｌｓ、多重伝送線Ｌを介して、管理人室などに設置された通話呼出コントローラ４に接続されている。
【００１６】
通話呼出コントローラ４は、多重伝送制御部４０を備え、この多重伝送制御部４０は、多重伝送線Ｌを介して指紋照合端末器Ａ（Ｉ）、住戸端末機５を端末器として接続しており、指紋照合端末器Ａ（Ｉ）のインターホン呼出通話部１４から住戸番号などを指定した呼出を受ければ、アドレスを指定した制御信号を多重伝送線Ｌを介して住戸端末機５を呼び出し、呼出した住戸端末機５が応答すれば、住戸端末機５との間で通話線Ｌｓを通じてのマイクＭ、スピーカＳＰによる相互通話が可能となる。
【００１７】
住戸端末機５は、ＣＰＵなどで構成された制御部５０、指紋照合端末器Ａ（Ｉ）のインターホン呼出通話部１４との通話をなすため、マイク、スピーカ（いずれも不図示）を有したインターホン通話部５１を備えるとともに、解錠釦５２を備え、住戸人が、来客などの呼出を受けたときに、この解錠釦５２を押圧操作すれば、後述するように電気錠制御装置に解錠信号を送出して、共同玄関に設置された電気錠を解錠する。
【００１８】
一方の指紋照合コントローラＢは、指紋データ登録装置３によって、予め住居者の指紋データを登録した指紋データ蓄積部２０と、指紋データ照合部２１とを備えており、指紋データ照合部２１では、指紋照合端末器Ａ（Ｉ）の指紋データ読取部１２によって読み取られ、グループ区分の指定された指紋データと、指紋データ蓄積部２０に同じグループに区分して登録された指紋データ群との照合を行い、一致すれば、指紋データが認証されて、電気錠制御装置に解錠信号を出力する。
【００１９】
図３は、マンション監視通話システムにおいてコントローラとして使用される警報監視盤４に、指紋照合コントローラＢを接続付加して構成された本発明の指紋照合連動マンションＨＡシステムの全体構成を示しており、ここで示す指紋照合端末器Ａ（II）は、警報監視盤４によってコントロールされるロビーインターホンに一体的に組み込まれたような外観をしている。
【００２０】
指紋照合コントローラＢ、指紋データ登録装置３は、警報監視盤４とともに、マンションの管理人室に設置されており、指紋照合コントローラＢに共同玄関に設置された電気錠８を接続した電気錠制御装置６に、更にエレベータ昇降制御装置７も接続され、後述するような制御がなされている。
このシステムでは、警報監視盤４は、指紋照合端末器Ａ（II）からマンション内の任意の住戸端末機５を呼出して通話制御をなす他、各住戸の住戸端末機５に設置した火災センサなどのセキュリティーセンサＳを監視し、いずれかの住戸端末機５から異常信号を受けたときには、警報を出力するようになっている。
【００２１】
このシステムでも、指紋照合端末器Ａ（II）と、指紋照合コントローラＢとは、警報監視盤４の端末器として、多重伝送線Ｌを介して接続されているが、住戸端末機５の解錠釦５２を操作して出力される解錠信号は、警報監視盤４から別の信号線で受けるようにしてもよい。なお、Ｄは各住戸の玄関先などに設置されるドアホン子器である。
【００２２】
図４は、この指紋照合端末器Ａ（II）の外観を示しており、共同玄関などに呼出通話端末器として設置されるロビーインターホンに、指紋読取のための指押当部を付加した外観をなしている。
ＳＰ，Ｍは呼出した住戸端末機と通話するためのマイク、スピーカ、１７は居住者の住戸番号と、グループ区分を兼用して指定するためのテンキー、１１は通電ランプ、１２は指紋読取部の指押当部を示しており、図例のものは、マンションの共同玄関などに設置されるロビーインターホンに、指紋照合端末器Ａを組み込んだ外観をなしている。
【００２３】
次に、図３に示した本発明のＨＡシステムにおける基本動作を説明する。
図５は、居住者が指紋の認証を行うことによって、マンションの共同玄関の電気錠を解錠し、このとき同時にエレベータを連動制御する場合の基本手順を示したフローチャートである。
この基本動作では、居住者の指紋データは指紋照合コントローラＢの指紋データ蓄積部２０に、予め居住者の居住階に応じたグループに区分されて登録されているので、居住者は指紋データの読取操作を行う際に、そのグループを指定することによって、指紋照合コントローラＢ側で検索対象となる指紋データのデータ量を少なくして、迅速化を図っている。特に、グループ区分を居住階にしておけば、居住者は、自己の居住階を指定すればよいので、登録されたグループ区分の指定が容易である。
【００２４】
また、指紋データをグループ区分して登録しておくことによって、他人受入率を低下できる。すなわち、居住者以外の他人が指紋の照合をしようとした場合に、多くの指紋データの中から指紋を照合すると、両者が合致してしまう可能性が高くなるが、グループを限定して、グループ内の少数の指紋データと照合すれば、誤って指紋が合致する可能性（他人受入率）が減少する。
【００２５】
指紋照合端末器Ａのいずれかの操作釦を操作するなどして、入力の準備状態が確認されると、最初の所定時間は、ウエイト状態となり、その時間の間にグループ区分が指定されるかどうかを待ち、グループ区分が指定されると、指定されたグループ区分の指紋データを検索対象にするように、指紋照合コントローラＢに指示する。所定のウエイト時間内にグループ区分が指定されない場合には、グループ区分は指定されなかったものとみなされて、ステップ１０４に進み、指紋データの入力を待つ（以上、ステップ１００〜１０４）。
【００２６】
そして、指紋データの入力を待つウエイト時間では、その時間の間に指紋データの入力があれば、指紋照合コントローラＢの指紋データ蓄積部２０に登録された指紋データのうちから、指定されたグループ区分に登録されている指紋データを検索して、同一の指紋データがあるかどうかを検索する。グループ区分の指定のない場合には、指紋データ蓄積部２０に登録されているすべての指紋データが検索対象となって検索される（以上、ステップ１０４〜１０６）。
【００２７】
これらの検索の結果、入力された指紋データと同じパターンの指紋データが存在すれば、指紋照合コントローラＢは電気錠解錠信号を電気錠制御装置６に出力し、同時にエレベータ昇降制御装置７にもエレベータ作動信号を出力するが、指紋データの入力ウエイト時間の間に、指紋データが入力されないか、入力された指紋データが登録されていない場合には、指紋照合端末器Ａはアラームを出力し、その表示部１１には、エラーあるいはＮＧの表示がなされる（以上、ステップ１０６〜１０９）。
【００２８】
電気錠制御装置６が指紋照合コントローラＢから電気錠解錠信号を受けると、共同玄関に設置された電気錠８は解錠される。また、エレベータ昇降制御装置７が指紋照合コントローラＢからエレベータ作動信号を受けると、エレベータは共同玄関の設置階まで移動し、居住者を出向かえる。
このようなシステムでは、指紋照合コントローラＢよりエレベータ昇降装置７にエレベータ作動信号を送出する際に、認証された居住者の居住階などのデータを一緒に送出すれば、エレベータ昇降制御装置７は、エレベータを共同玄関の設置階まで移送させて、居住者をエレベータに乗せた後に、居住者の居住階で自動停止させることができ、より一層、便利で快適な連動制御システムが実現する。
【００２９】
そして、この場合、エレベータの停止階の情報は、指紋照合コントローラＢ内に指紋データと居住階を対応させた参照テーブルを予め準備しておいて、そこから検索する他、指紋照合端末器Ａ内に指定されたグループ区分と居住階を対応させた参照テーブルを準備して、居住者が指紋照合端末器Ａで指紋の読取を行う際に、判別できるようにしてもよい。
【００３０】
次に、歩行が不自由である車椅子を使用している居住者が利用しやすいシステムについて説明する。図６には、この場合の指紋照合連動マンションＨＡシステムの全体構成を示しており、ロビーインターホンで構成されている指紋照合端末器Ａ（II）に、車椅子の居住者専用の指紋照合端末器Ａ（III） を付加接続している。
【００３１】
この場合、指紋照合コントローラＢの指紋データ蓄積部２０は、車椅子の居住者の指紋データを、予めグループ区分して登録しており、指紋照合コントローラＢは、車椅子の居住者専用の指紋照合端末器Ａ（III） から入力された指紋データを、車椅子の居住者の指紋データとして認証したときには、共同玄関の電気錠８を解錠するとともに、エレベータ昇降制御装置７を作動して、エレベータを共同玄関の設置階まで自動的に移送させる。
【００３２】
ここでは、車椅子の居住者専用の指紋照合端末器Ａ（III） には、グループ区分の指定手段１０は備わっておらず、グループ区分を指定せずに、指紋データ読取部１２から指紋データを読み取るだけでよい構成になっている。すなわち、指紋照合コントローラＢは、指紋照合端末器Ａ（III） から入力された指紋データを、指紋データ蓄積部２０に登録された車椅子の居住者の指紋データと照合して認証したときには、共同玄関の電気錠８を解錠する。
【００３３】
この指紋照合端末器Ａ（III） は、グループ区分指定手段１０を備える構成としてもよい。その場合、指紋照合コントローラＢは、指紋照合端末器Ａ（III） から、車椅子の居住者のグループ区分が指定された後に入力された指紋データを、車椅子の居住者の指紋データとして認証したときには、共同玄関の電気錠８を解錠する。このような構成にすれば、指紋照合端末器Ａ（III） を、車椅子の住居者以外の居住者が操作した場合にも、電気錠８とエレベータの制御が可能になる。
【００３４】
図では、更に、車椅子の居住者専用の指紋照合端末器Ａ（III） は、通常の指紋照合端末器Ａ（II）よりも低い位置に設置されており、車椅子に座ったままの状態で、指紋データを読み取らせることができるようになっている。これによって、車椅子の居住者に対する操作性が向上する。
なお、車椅子の居住者専用の指紋照合端末器Ａ（III） を、指紋照合端末器Ａ（II）に付加接続せずに、指紋照合端末器Ａ（II）によって、車椅子の居住者専用の指紋照合端末器Ａ（III） の機能を実現することもできる。
【００３５】
その場合、指紋照合端末器Ａ（II）では、グループ区分指定手段１０は、車椅子の居住者のグループ区分を指定可能にしており、指紋照合コントローラＢの指紋データ蓄積部２０は、車椅子の居住者の指紋データを、予めグループ区分して登録する構成とする。
指紋照合コントローラＢは、指紋照合端末器Ａ（II）から、車椅子の居住者のグループ区分が指定された後に入力された指紋データを、車椅子の居住者の指紋データとして認証したときには、共同玄関の電気錠８を解錠するとともに、エレベータ昇降制御装置７を作動して、エレベータを共同玄関の設置階まで自動的に移送させる。
【００３６】
また、指紋照合コントローラＢは、指紋照合端末器Ａ（II）から指紋データが入力されたときに、まず、車椅子の居住者の指紋データと照合することによって、グループ区分の指定を不要にすることができる。すなわち、指紋照合端末器Ａ（II）から入力された指紋データが、指紋データ蓄積部２０に登録された車椅子の居住者の指紋データと照合して認証したときには、共同玄関の電気錠８を解錠するとともに、エレベータ昇降制御装置７を作動して、エレベータを共同玄関の設置階まで自動的に移送させる。
【００３７】
図７には、車椅子の居住者専用の指紋照合端末器Ａ（III） から指紋データを入力して、グループ区分データの指定を不要としている場合の動作をフローチャートで示している。
指紋照合コントローラＢは、指紋照合端末器Ａ（III） から指紋データの入力があれば（２００）、指紋データ蓄積部２０から車椅子の居住者のグループ区分のデータを読み込んで（２０１）、その中から、入力された指紋データと同一の指紋データがあるかどうかを検索する（２０２）。
【００３８】
この検索の結果、入力された指紋データと同じパターンの指紋データが存在すれば、指紋照合端末器Ａ（III） は、表示部１１において「照合ＯＫ」の点灯を行い（２０３，２０４）、指紋照合コントローラＢは電気錠解錠信号を電気錠制御装置６に出力し、同時にエレベータ昇降制御装置７にも車椅子対応のエレベータ作動信号を出力する（２０５）。このとき、入力された指紋データが登録されていない場合には、指紋照合端末器Ａ（III） は、表示部１１において「照合ＮＧ」の点灯を行い（２０６）、指紋の再入力待ち状態になる。
【００３９】
電気錠制御装置６は指紋照合コントローラＢから電気錠解錠信号を受けると、共同玄関に設置された電気錠８を解錠する。また、エレベータ昇降制御装置７は指紋照合コントローラＢから車椅子対応のエレベータ作動信号を受けると、エレベータは共同玄関の設置階まで移動し、居住者を出向かえる。このとき、扉の開放時間を通常の開放時間よりも長くすれば、車椅子による移動であっても、エレベータに乗り遅れることがない。
【００４０】
このとき、指紋照合コントローラＢは、エレベータ昇降装置７にエレベータ作動信号を送出する際に、認証された居住者の居住階などのデータを一緒に送出すれば、エレベータ昇降制御装置７は、エレベータを共同玄関の設置階まで移送させて、居住者をエレベータに乗せた後に、居住者の居住階で自動停止させることができ、より一層、便利で快適な連動制御システムが実現する。
【００４１】
この場合、エレベータの停止階の情報は、指紋照合コントローラＢ内に指紋データと居住階を対応させた参照テーブルを予め準備しておいて、そこから検索する。
なお、ここでは、操作を簡単にするため、指紋入力のみによって動作しているが、図５に示した動作と同様に、指紋照合端末器Ａのいずれかの操作釦を操作するなどして、入力の準備状態が確認された後に、グループ区分を入力してから、指紋データを入力するようにしてもよい。
【００４２】
【発明の効果】
本発明によれば、次のような効果が奏される。
すなわち、請求項１〜７に記載のマンションＨＡシステムによれば、マンションの居住者が指紋データをグループ区分して登録しておけば、マンションに入室する際、指紋照合端末器によって指紋データを読み取り、そのグループ区分を指定するだけで、指紋データを迅速に認証して、共同玄関の電気錠が解錠されるので、住戸数の多い大規模なマンションでも、処理に時間を要して不快感を与えることがない。特に、グループ区分を居住階に一致させておけば、居住者は、自己の居住階を指定すればよいので、登録されたグループ区分の指定が容易になる。
【００４３】
また、指紋データをグループ区分して登録しておくことによって、他人受入率を低下できる。すなわち、居住者以外の他人が指紋の照合をしようとした場合に、多くの指紋データの中から指紋を照合すると、両者が合致してしまう可能性が高くなるが、グループを限定して、グループ内の少数の指紋データと照合すれば、誤って指紋が合致する可能性（他人受入率）が減少する。
【００４４】
また、請求項３に記載のシステムでは、指紋照合端末器からも住戸端末機を直接呼び出し、通話することが出来る。
更に、請求項４に記載のシステムでは、グループ区分指定操作手段を住戸指定手段で兼用するため、指紋照合端末器に通話機能を備える場合にも、部品点数の軽減された商品が提供できる。
【００４５】
請求項５に記載のシステムでは、指紋照合コントローラは、指紋照合端末器から入力された指紋データを、指紋データ蓄積手段に登録された車椅子の居住者の指紋データと照合して認証したときには、共同玄関の電気錠を解錠するので、車椅子の居住者は、グループ区分を指定する必要がない。
請求項６に記載のシステムでは、指紋照合コントローラは、車椅子の居住者専用の指紋照合端末器から入力された指紋データを、車椅子の居住者の指紋データとして認証したときには、共同玄関の電気錠を解錠するので、車椅子の居住者は、グループ区分を指定する必要がない。
【００４６】
請求項７に記載のシステムでは、車椅子の居住者専用の指紋照合端末器は、通常の指紋照合端末器よりも低い位置に設けられているので、車椅子に座ったままの状態で、指紋データを読み取らせることができ、車椅子の居住者の操作性が向上する。
【図面の簡単な説明】
【図１】本発明システムの要部構成を示したブロック図。
【図２】本発明システムをインターホンシステムに組み込んだ場合の基本構成を示すブロック図。
【図３】マンション警報監視システムに本発明システムを組み込んだ基本構成を示すシステム系統図。
【図４】指紋照合端末器の外観構成を示す図。
【図５】本発明の基本動作を説明するフローチャート。
【図６】マンション警報監視システムに本発明システムを組み込んだ他の構成を示すシステム系統図。
【図７】本発明の他の動作を説明するフローチャート。
【符号の説明】
Ａ、Ａ（Ｉ）、Ａ（II）、Ａ（III）   指紋照合端末器
Ｂ    指紋照合コントローラ
１０  グループ区分指定操作手段
１２  指紋読取部
１４  インターホン呼出通話手段
１５  住戸呼出操作手段
１６  住戸指定操作手段
Ｌ    多重伝送線
Ｌｓ  通話線
５    住戸端末機
６    電気錠制御装置
【図１】
0003771096.tif 000002
【図２】
0003771096.tif 000003
【図３】
0003771096.tif 000004
【図４】
0003771096.tif 000005
【図５】
0003771096.tif 000006
【図６】
0003771096.tif 000007
【図７】
0003771096.tif 000008